(57)【要約】  【課題】  外観をより通常の遊具としての玩具により近付けると共に、バッグや携帯電話等に取り付けるようなアクセサリーやストラップとして使用可能とし、更には、使用者が手で持ったときの手触り感を良好なものとする。  【解決手段】  硬質材を用いて中空状に成形された容器体３１の内部に、硬質材からなる衝撃体３２を一個又は複数個内蔵してなる発音体３をぬいぐるみ２に内蔵した。  【選択図】  図１
0003131674.tif 000002
【実用新案登録請求の範囲】
【請求項１】
硬質材を用いて中空状に成形された容器体の内部に、硬質材からなる衝撃体を一個又は複数個内蔵してなる発音体をぬいぐるみに内蔵してなるシェーカー。
【請求項２】
前記ぬいぐるみに発音体を出し入れする出し入れ口を開閉可能に設けてなる請求項１に記載のシェーカー。
【請求項３】
前記発音体を容器部と、該容器部を開閉する蓋部との２部材で構成してなる請求項２に記載のシェーカー。
【考案の詳細な説明】
【技術分野】
【０００１】
本考案は、振って音を出す打楽器であるシェーカーに関し、特に本来のリズム楽器としての使用は勿論、知育やリハビリ用の器具としても有用なシェーカーに関する。
【背景技術】
【０００２】
本考案のシェーカーに関連する先行技術文献情報として、例えば、次の特許文献1及び特許文献２がある。
【特許文献１】実用新案登録第３０２９１３６号公報
【特許文献２】実用新案登録第３０４１４０５号公報
【０００３】
前記特許文献１及び特許文献２に記載のシェーカーは、合成樹脂材を用いたブロー成形により各種の果実・野菜の形状・色彩、すなわち、バナナ、りんご、レモン、オレンジ等の果実類やきゅうり、なす、ピーマン等の野菜類を模した形状・色彩として中空状に成形したシェーカー本体の内部に、金属球、ガラス球、球形状に近い小石、砂等を入れて構成されたものである。
すなわち、各種果実類や野菜類の外観を呈していることから、演奏者や聴衆に対して従来のシェーカーにはない斬新なイメージを与え、楽器としての使用のみならず、知育玩具やリハビリ器具に用いる等の幅広い使用が可能になる。
【考案の開示】
【考案が解決しようとする課題】
【０００４】
ところで、本出願人は、前記特許文献１及び特許文献２に記載のようなシェーカーについて、楽器・知育玩具・リハビリ器具等の幅広い範囲での使用を可能とした上で、外観をより通常の遊具としての玩具に近付ける点、バッグや携帯電話等に取り付けるようなアクセサリーやストラップとして使用可能とする点、更には、使用者が手で持ったときの手触り感を良好なものとする点に関して、鋭意研究を重ねた結果、本考案に至ったものである。
【０００５】
本考案は、楽器・知育玩具・リハビリ器具と宇野の幅広い範囲での使用を可能とした上で、外観をより通常の遊具としての玩具に近付けると共に、バッグや携帯電話等に取り付けるようなアクセサリーやストラップとして使用可能とし、更には、使用者が手で持ったときの手触り感を良好なものとすることを課題とし、この課題を解決したシェーカーの提供を目的とする。
【課題を解決するための手段】
【０００６】
前記目的を達成するために本考案が採用した技術的手段は、硬質材を用いて中空状に成形された容器体の内部に、硬質材からなる衝撃体を一個又は複数個内蔵してなる発音体をぬいぐるみに内蔵してなるシェーカーにしたことである。
【０００７】
本考案でいう容器体を形成する硬質材とは、合成樹脂材や金属材等の成形型で成形可能なもの、あるいは、合成樹脂材・金属材・木材等の切削により形成可能なもの等が含まれ、いずれにしても、シェーカーを振ったときに、衝撃体が容器体に当たった衝撃で発音可能なものである。
又、本考案でいう容器体の形状は、球状、楕円球状、卵状、角部や辺部を丸く面取りした立方体等、ぬいぐるみの形状に適合する形状等が含まれるが、通常の使用動作、及び誤った使用動作において使用者に対して怪我等をさせてしまうような形状は含まれない。
又、本考案でいうぬいぐるみは、通常ぬいぐるみに使用される起毛布地・パイル地・ニット地等の周知の布地を用いて、動物・各種キャラクター・各種乗り物・果実・野菜等を模した形状に縫製したものであり、内蔵される発音体の周りや、発音体が内蔵される以外の内部には、綿・スポンジ・ビーズ等の周知のクッション材を詰めることによりクッション性を確保する。
【０００８】
本考案では、１個のシェーカーで異なる音で発音する各種発音体に交換できるようにするために、ぬいぐるみに発音体を出し入れする出し入れ口を開閉可能に設けてもよい。
この場合、１個の発音体でも異なる音で発音させるようにするために、発音体における容器体を容器部と、該容器部を開閉する蓋部との２部材で構成し、中の衝撃体を交換可能にしてもよい。
【考案の効果】
【０００９】
本考案のシェーカーによれば、楽器・知育玩具・リハビリ器具等の幅広い範囲での使用を可能とした上で、外観をより通常の遊具としての玩具により近付けると共に、バッグや携帯電話等に取り付けるようなアクセサリーやストラップとして使用可能とし、更には、使用者が手で持ったときの手触り感を良好なものとしたシェーカーを提供できる。
【考案を実施するための最良の形態】
【００１０】
以下、本考案のシェーカーを実施するための最良の形態を図面に基づいて説明する。
本形態のシェーカー１は、図１に示すように動物の形状を模した外観を呈するぬいぐるみ２に発音体３を内蔵してなるものである。
【００１１】
本形態のぬいぐるみ２は、図１に示すように、起毛布地を素材として所定形状に縫製されたぬいぐるみ本体２１に、スポンジ等の柔軟素材からなるクッション材２２を詰めてなるものである。
又、ぬいぐるみ２の腹部付近には、クッション材２２を詰めない部分としてなる、発音体３の収容空間Ｓが確保されており、該収容空間Ｓに発音体３が収容される。
又、図２に示すようにぬいぐるみ本体２１の背中部分には、前記収容空間Ｓと連通する出し入れ口２３が形成されており、該出し入れ口２３から発音体３を出し入れするようにしている。
前記出し入れ口２３は、ファスナー２４により開閉可能、且つ閉状態を保持するようにされており、シェーカー１の使用時に発音体３を収容空間Ｓでの収容状態を保持し、発音体３の交換やぬいぐるみ２の洗濯時に発音体３をぬいぐるみ本体２１から取り出し可能にしている。
図中、符号２５は、バッグや携帯電話等に取り付けるためのループ状紐であるが、このループ状紐２５は、楽器として使用する際に指を掛ける指掛け紐としても使用できる。
【００１２】
尚、本形態では、前記出し入れ口２３の開閉構造をファスナー２４として例示しているが、本考案では、開閉構造を例示したファスナーに限定するものではなく、例えば、面ファスナーやホック等の開閉構造にしてもよい（図示せず）。
【００１３】
本形態の発音体３は、図１及び図３に示すように、プラスティック材を用いて球状に成型された容器体３１と、該容器体３１内に収容された複数の衝撃体３２とから構成されている。
本形態の容器体３１は、図面上、上半部の半球状の蓋部３１Ａと、下半部の半球状の容器部３１Ｂとの２部材を分割可能に合体させた形態で構成されており、この蓋部３１Ａを容器部３１Ｂから取外すことにより、収容された衝撃体３２の量を増減したり、異なる素材の衝撃体に交換したりできるようにしている。
前記蓋部３１Ａと容器部３１Ｂの合体構造は、蓋部３１Ａの開口部の内側に容器部３１Ｂの開口部の外側が嵌合することで合体させるものであり、蓋部３１Ａと容器部３１Ｂの嵌合部分の肉厚を嵌合部分以外の肉厚の半分とすることにより、合体した状態で容器体３１の外周に段差が生じないようにしている（図２（ａ）、図２（ｂ）参照）。
【００１４】
本形態の衝撃体３２は、直径が２mm程度の細かい金属性の散弾銃の弾が用いられ本来のリズム楽器としての音色が得られる所定量が収容される。
又、音色を変更する場合には、例示した散弾銃の弾の量を増減したり、素材を他の金属球・ガラス球・球形状に近い小石・砂等に交換したり、衝撃体３２の大きさを変更したりすることにより行うことができる。
【００１５】
本形態のシェーカー１によれば、楽器・知育玩具・リハビリ器具と宇野の幅広い範囲での使用を可能とした上で、外観をより通常の遊具としての玩具に近付けると共に、バッグ等に取り付けるようなアクセサリーとして使用可能とし、更には、使用者が手で持ったときの手触り感を良好なものとすることができる。
更に、１個のシェーカーで異なる音で発音する各種発音体に交換することができ、しかも、発音体の衝撃体の増減や交換を可能としているので、１個の発音体でも異なる音で発音させるようにすることができる。
又、外観がぬいぐるみであるので、一見シェーカーに見えず、実際に持ってはじめてシェーカーとして使用できることが理解できる斬新なデザインのシェーカーであり、更にいえば、多種多様な形態のぬいぐるみを使用できるので、極めて幅広いデザインのシェーカーを提供することができる。
又、硬い発音体３を柔軟な布地やクッション材でなるぬいぐるみ２でカバーしているので、幼児や未就学児、児童等に対する低年齢層の遊具や玩具としての安全性を確保できる。
【００１６】
尚、本考案は、例示した形態に限定するものではなく、実用新案登録請求の範囲に記載された内容から逸脱することなく、他の構成による実施も可能である。
例えば、例示した形態では、発音体が交換可能であり、又、発音体の衝撃体を増減又は交換可能にしたものであるが、本考案では、発音体の交換が不可能なものである形態や、発音体の衝撃体の交換が不可能な形態も含む（図示せず）。
又、発音体の交換が可能で、発音体の衝撃体の交換が不可能な形態の場合、音の異なる発音体を各種用意し、各種用意された発音体の中から使用者が適宜選択することができる（図示せず）。
【図面の簡単な説明】
【００１７】
【図１】本考案に係るシェーカーの一例を示す切欠正面図。
【図２】図１の背面図。
【図３】（ａ）は発音体の正面図、（ｂ）は発音体を分割した状態の断面図。
【符号の説明】
【００１８】
１：シェーカー
２：ぬいぐるみ
３：発音体
Ｓ：収容空間
２３：出し入れ口
２４：ファスナー
３１：容器体
３２：衝撃体
３１Ａ：蓋部
３１Ｂ：容器部
【図１】
0003131674.tif 000003
【図２】
0003131674.tif 000004
【図３】
0003131674.tif 000005